(57)【要約】【課題】通話モードを容易に切り替えることが可能な携帯端末、通話モード設定制御方法及び通話モード設定制御プログラムを提供する。【解決手段】携帯端末は、音声が入力される第１マイク１２及び第２マイク２１と、通常通話モード及びハンズフリー通話モードのうち設定された通話モードに基づいて、通話による通信を行う通信部３１と、通常通話モード又はハンズフリー通話モードのいずれかに通話モードを設定して、通信部３１により通信を行わせる制御部３３と、を備える。第１マイク１２は、筐体の第１の面に配置され、第２マイク２１は、第１の面とは異なる第２の面に配置される。制御部３３は、第１マイク１２及び第２マイク２１に入力された音声の大きさを判定し、当該判定の結果に応じて通話モードを設定する。【選択図】図２
2012238978.tif 000002
【特許請求の範囲】
【請求項１】
筐体と、
音声が入力される第１の音声入力部及び第２の音声入力部と、
通常通話モード及びハンズフリー通話モードのうち設定された通話モードに基づいて、通話による通信を行う通信部と、
前記通常通話モード又は前記ハンズフリー通話モードのいずれかに通話モードを設定して、前記通信部により通信を行わせる制御部と、を備え、
前記第１の音声入力部は、前記筐体の第１の面に配置され、
前記第２の音声入力部は、前記第１の面とは異なる第２の面に配置され、
前記制御部は、前記第１の音声入力部及び前記第２の音声入力部に入力された音声の大きさを判定し、当該判定の結果に応じて前記通話モードを設定する携帯端末。
【請求項２】
前記制御部は、前記第１の音声入力部と前記第２の音声入力部に入力された音声の大きさを判定し、当該判定の結果から、入力された各音声の大きさの差が第１のしきい値未満である場合に、前記ハンズフリー通話モードを設定し、入力された各音声の大きさの差が前記第１のしきい値以上である場合に、前記通常通話モードを設定する請求項１に記載の携帯端末。
【請求項３】
前記制御部は、前記第１の音声入力部と前記第２の音声入力部に入力された音声の大きさを判定し、当該判定の結果から、入力された各音声の大きさの差が前記第１のしきい値未満であり、かつ前記第１の音声入力部に入力された音声の大きさが第２のしきい値未満である場合には、前記ハンズフリー通話モードを設定する請求項２記載の携帯端末。
【請求項４】
前記制御部は、前記第１の音声入力部と前記第２の音声入力部に入力された音声の大きさを判定し、当該判定の結果から、入力された各音声の大きさの差が前記第１のしきい値以上であり、かつ前記第１の音声入力部に入力された音声の大きさが第２のしきい値以上の場合には、前記通常通話モードを設定する請求項２記載の携帯端末。
【請求項５】
前記第１の面は前記筐体が有する表示部又は操作部の少なくともいずれかが設けられる面であり、前記第２の面は前記第１の面とは反対側の面である請求項１から４のいずれか１項に記載の携帯端末。
【請求項６】
少なくとも前記第１の面とは異なる面に配置される第３の音声入力部を備え、
前記制御部は、前記第２の音声入力部及び前記第３の音声入力部に入力される音声のうち、入力された音声の大きさを判定し、当該判定の結果から、入力された音声が大きい側の音声入力部に入力された音声と、前記第１の音声入力部に入力された音声の大きさを判定し、当該判定の結果に応じて通話モードを設定する請求項１記載の携帯端末。
【請求項７】
少なくとも前記第２の面とは異なる面に配置される第４の音声入力部を備え、
前記制御部は、前記第１の音声入力部及び前記第４の音声入力部に入力される音声のうち、入力された音声の大きさを判定し、当該判定の結果から、入力された音声が大きい側の音声入力部に入力された音声と、前記第２の音声入力部に入力された音声の大きさを判定し、当該判定の結果に応じて通話モードを設定する請求項１記載の携帯端末。
【請求項８】
通常通話モード及びハンズフリー通話モードのうち設定された通話モードに基づいて、通話による通信を行う通信工程と、
前記通常通話モード又は前記ハンズフリー通話モードのいずれかに通話モードを設定して、前記通信工程により通信を行わせる制御工程と、を備え、
前記制御工程は、筐体の第１の面に配置されており、音声が入力される第１の音声入力部に入力された音声と、前記第１の面とは異なる第２の面に配置されており、音声が入力される第２の音声入力部に入力された音声の大きさを判定し、当該判定の結果に応じて前記通話モードを設定する通話モード設定制御方法。
【請求項９】
通常通話モード及びハンズフリー通話モードのうち設定された通話モードに基づいて、通話による通信を行う通信工程と、
前記通常通話モード又は前記ハンズフリー通話モードのいずれかに通話モードを設定して、前記通信工程により通信を行わせる制御工程と、をコンピュータによって実現するための制御プログラムであって、
前記制御工程は、筐体の第１の面に配置されており、音声が入力される第１の音声入力部に入力された音声と、前記第１の面とは異なる第２の面に配置されており、音声が入力される第２の音声入力部に入力された音声の大きさを判定し、当該判定の結果に応じて前記通話モードを設定する通話モード設定制御プログラム。
【発明の詳細な説明】
【技術分野】
【０００１】
本発明は、マイク等の音声入力部を備える携帯端末、通話モード設定制御方法及び通話モード設定制御プログラムに関する。
【背景技術】
【０００２】
携帯端末の一例としての携帯電話機には、その携帯電話機を手で持って通話可能な通常通話モードと、その携帯電話機を手でもたずに通話可能なハンズフリー通話モードとのうちいずれか一方を選択して、選択した通話モードで通話が可能なものがある（特許文献１参照）。
【先行技術文献】
【特許文献】
【０００３】
【特許文献１】特開２００７−２８１９６２号公報
【発明の概要】
【発明が解決しようとする課題】
【０００４】
しかしながら、上述した携帯電話機では、通常通話モードからハンズフリー通話モードへ切り替えるためには、ユーザが受話音量の変更指示を行う等の操作が必要であり、通話モードの切替操作が煩雑であった。
【０００５】
本発明は、通話モードを容易に切り替えることが可能な携帯端末を提供することを目的とする。
また、本発明は、その携帯端末の通話モード設定制御方法及び通話モード設定制御プログラムを提供することを目的とする。
【課題を解決するための手段】
【０００６】
本発明の携帯端末は、筐体と、音声が入力される第１の音声入力部及び第２の音声入力部と、通常通話モード及びハンズフリー通話モードのうち設定された通話モードに基づいて、通話による通信を行う通信部と、前記通常通話モード又は前記ハンズフリー通話モードのいずれかに通話モードを設定して、前記通信部により通信を行わせる制御部と、を備え、前記第１の音声入力部は、前記筐体の第１の面に配置され、前記第２の音声入力部は、前記第１の面とは異なる第２の面に配置され、前記制御部は、前記第１の音声入力部及び前記第２の音声入力部に入力された音声の大きさを判定し、当該判定の結果に応じて前記通話モードを設定することを特徴とする。
【０００７】
また、前記制御部は、前記第１の音声入力部と前記第２の音声入力部に入力された音声の大きさを判定し、当該判定の結果から、入力された各音声の大きさの差が第１のしきい値未満である場合に、前記ハンズフリー通話モードを設定し、入力された各音声の大きさの差が前記第１のしきい値以上である場合に、前記通常通話モードを設定することが好ましい。
【０００８】
また、前記制御部は、前記第１の音声入力部と前記第２の音声入力部に入力された音声の大きさを判定し、当該判定の結果から、入力された各音声の大きさの差が前記第１のしきい値未満であり、かつ前記第１の音声入力部に入力された音声の大きさが第２のしきい値未満である場合には、前記ハンズフリー通話モードを設定することが好ましい。
【０００９】
また、前記制御部は、前記第１の音声入力部と前記第２の音声入力部に入力された音声の大きさを判定し、当該判定の結果から、入力された各音声の大きさの差が前記第１のしきい値以上であり、かつ前記第１の音声入力部に入力された音声の大きさが第２のしきい値以上の場合には、前記通常通話モードを設定することが好ましい。
【００１０】
また、前記第１の面は前記筐体が有する表示部又は操作部の少なくともいずれかが設けられる面であり、前記第２の面は前記第１の面とは反対側の面であることが好ましい。
【００１１】
また、携帯端末は、少なくとも前記第１の面とは異なる面に配置される第３の音声入力部を備え、前記制御部は、前記第２の音声入力部及び前記第３の音声入力部に入力される音声のうち、入力された音声の大きさを判定し、当該判定の結果から、入力された音声が大きい側の音声入力部に入力された音声と、前記第１の音声入力部に入力された音声の大きさを判定し、当該判定の結果に応じて通話モードを設定することが好ましい。
【００１２】
また、携帯端末は、少なくとも前記第２の面とは異なる面に配置される第４の音声入力部を備え、前記制御部は、前記第１の音声入力部及び前記第４の音声入力部に入力される音声のうち、入力された音声の大きさを判定し、当該判定の結果から、入力された音声が大きい側の音声入力部に入力された音声と、前記第２の音声入力部に入力された音声の大きさを判定し、当該判定の結果に応じて通話モードを設定することが好ましい。
【００１３】
また、本発明の通話モード設定制御方法は、通常通話モード及びハンズフリー通話モードのうち設定された通話モードに基づいて、通話による通信を行う通信工程と、前記通常通話モード又は前記ハンズフリー通話モードのいずれかに通話モードを設定して、前記通信工程により通信を行わせる制御工程と、を備え、前記制御工程は、筐体の第１の面に配置されており、音声が入力される第１の音声入力部に入力された音声と、前記第１の面とは異なる第２の面に配置されており、音声が入力される第２の音声入力部に入力された音声の大きさを判定し、当該判定の結果に応じて前記通話モードを設定することを特徴とする。
【００１４】
また、本発明は、通常通話モード及びハンズフリー通話モードのうち設定された通話モードに基づいて、通話による通信を行う通信工程と、前記通常通話モード又は前記ハンズフリー通話モードのいずれかに通話モードを設定して、前記通信工程により通信を行わせる制御工程と、をコンピュータによって実現するための制御プログラムであって、前記制御工程は、筐体の第１の面に配置されており、音声が入力される第１の音声入力部に入力された音声と、前記第１の面とは異なる第２の面に配置されており、音声が入力される第２の音声入力部に入力された音声の大きさを判定し、当該判定の結果に応じて前記通話モードを設定することを特徴とする。
【発明の効果】
【００１５】
本発明によれば、通話モードを容易に切り替えることができる。
【図面の簡単な説明】
【００１６】
【図１】本発明の携帯端末の一実施形態に係る携帯電話機の外観斜視図である。
【図２】携帯電話機の機能を示す第１の機能ブロック図である。
【図３】携帯電話機の動作について説明するフローチャートである。
【図４】携帯電話機の機能を示す第２の機能ブロック図である。
【図５】携帯電話機の機能を示す第３の機能ブロック図である。
【発明を実施するための形態】
【００１７】
以下、本発明の一実施形態について説明する。図１は、本発明の携帯端末の一実施形態に係る携帯電話機１の外観斜視図である。ここで、図１（Ａ）は、携帯電話機１の正面図である。また、図１（Ｂ）は、携帯電話機１の背面図である。
【００１８】
携帯電話機１は、筐体２を備える。筐体２の前面１０には、操作部１１と、第１マイク１２と、表示部１６と、レシーバ１７と、スピーカ１８とが配置される。また、筐体２の背面２０には、第２マイク２１が配置される。
【００１９】
操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部１６と一体に形成されたタッチパネルに配置（表示）するようにしてもよい。表示部１６は、各種情報を表示する。第１マイク１２は、携帯電話機１の使用者が通話時に発した音声を入力する。第２マイク２１は、第１マイク１２と同様に音声を入力する。レシーバ１７及びスピーカ１８は、音声を出力する。なお、通話相手の音声は、音声を出力する経路が切り替えられることにより、レシーバ１７及びスピーカ１８のうちいずれか一方から出力される。
【００２０】
図２は、携帯電話機１の機能を示す第１の機能ブロック図である。携帯電話機１は、図２に示すように、レシーバ１７と、スピーカ１８と、第１マイク１２と、第２マイク２１と、通信部３１と、操作部１１と、表示部１６と、メモリ３２と、制御部３３とを備える。
【００２１】
通信部３１は、外部装置（図示せず）と通信を行う。すなわち、通信部３１は、通話を行うことが可能である。
メモリ３２は、例えば、ワーキングメモリを含み、制御部３３による演算処理に利用される。また、メモリ３２には、複数のアプリケーションや当該アプリケーションが必要とする各種のテーブル等が記憶されている。また、メモリ３２は、着脱可能な外部メモリを兼ねていてもよい。
【００２２】
制御部３３は、携帯電話機１の全体を制御しており、中央処理装置（ＣＰＵ）等を用いて構成される。
【００２３】
このように構成される携帯電話機１は、通話モードを容易に切り替えることが可能な機能を有する。以下に、携帯電話機１に係る上記機能を発揮するための構成と動作について詳述する。
【００２４】
上述したように、第１マイク１２（本発明の「第１の音声入力部」に対応する）と、第２マイク２１（本発明の「第２の音声入力部」に対応する）には、それぞれ音声が入力される。第１マイク１２は、筐体２の第１の面に配置される。また、第２マイク２１は、第１の面とは異なる第２の面に配置される。ここで、第１の面は筐体２が有する表示部１６又は操作部１１の少なくともいずれかが設けられる面であり、第２の面は第１の面とは反対側の面である。具体的に、第１の面は、筐体２の前面１０である。また、第２の面は、筐体２の背面２０である。
【００２５】
通信部３１は、通常通話モード及びハンズフリー通話モードのうち設定された通話モードに基づいて、通話による通信を行う。通常通話モードとは、携帯電話機１をユーザの耳元に配置して、第１マイク１２及びレシーバ１７を利用して通話を行うモードのことである。ハンズフリー通話モードとは、携帯電話機１をテーブル等に置いて（携帯電話機１をユーザの頭から遠ざけて）、第１マイク１２及びスピーカ１８を利用して通話を行うモードのことである。
【００２６】
制御部３３は、通常通話モード又はハンズフリー通話モードのいずれかに通話モードを設定して、通信部３１により通信を行わせる。また、制御部３３は、第１マイク１２及び第２マイク２１に入力された音声の大きさを判定し、その判定の結果に応じて通話モードを設定する。すなわち、制御部３３は、音声の大きさに応じて、通常通話モード又はハンズフリー通話モードのいずれかに通話モードを設定する。通常通話モードに設定された場合には、制御部３３は、音声を出力する経路をレシーバ１７に設定して、レシーバ１７から音声を出力させる。一方、ハンズフリー通話モードに設定された場合には、制御部３３は、音声を出力する経路をスピーカ１８に設定して、スピーカ１８から音声を出力させる。
【００２７】
次に、携帯電話機１の通話モード設定制御方法について説明する。なお、以下の通話モード設定制御方法の説明では、通話工程と、制御工程とを携帯電話機１に実行させるための通話モード設定制御プログラムについて合わせて説明する。
【００２８】
携帯電話機１は、通信工程と、制御工程とを順に実行する。
通信工程は、通常通話モード及びハンズフリー通話モードのうち設定された通話モードに基づいて、通話による通信を行う。
【００２９】
制御工程は、通常通話モード又はハンズフリー通話モードのいずれかに通話モードを設定して、通信工程により通信を行わせる。さらに、制御工程は、筐体２の前面１０に配置されており、第１マイク１２に入力された音声と、前面１０とは異なる背面２０に配置された第２マイク２１に入力された音声の大きさを判定し、その判定の結果に応じて通話モードを設定する。
これにより、携帯電話機１は、通話モードを容易に切り替えることができる。
【００３０】
また、制御部３３は、第１マイク１２と第２マイク２１に入力された音声の大きさを判定し、その判定の結果から、入力された各音声の大きさの差が第１のしきい値未満である場合に、ハンズフリー通話モードを設定し、入力された各音声の大きさの差が第１のしきい値以上である場合に、通常通話モードを設定することが好ましい。
【００３１】
第１マイク１２は、音声が入力されると、その音声を電圧に変換して第１電圧信号として出力する。第２マイク２１は、音声が入力されると、その音声を電圧に変換して第２電圧信号として出力する。この場合、第１マイク１２及び第２マイク２１は、入力された音声の大きさに応じて異なる電圧の電圧信号を出力する。
【００３２】
制御部３３は、第１マイク１２及び第２マイク２１それぞれから電圧信号（第１電圧信号及び第２電圧信号）が入力されると、各電圧信号の大きさ（電圧値）の差を求める。そして、制御部３３は、求めた差が第１のしきい値以上であるか否かを判定する（第１判定）。
【００３３】
求めた差が第１のしきい値以上ではない場合には、携帯電話機１とユーザとの距離が離れているために、第１マイク１２及び第２マイク２１それぞれに入力される音声の大きさが同程度になった可能性がある。このため、制御部３３は、第１判定の結果、求めた差が第１のしきい値以上ではない場合には、ハンズフリー通話モードに設定する。
【００３４】
一方、求めた差が第１のしきい値以上の場合には、携帯電話機１とユーザとの距離が近い（ユーザの顔のそばに携帯電話機１が配置されている）ために、第１マイク１２に入力される音声が大きくなると共に、第２マイク２１に入力される音声が小さくなり、第１マイク１２及び第２マイク２１それぞれに入力される音声の大きさが異なる可能性がある。このため、制御部３３は、第１判定の結果、求めた差が第１のしきい値以上である場合には、通常通話モードに設定する。
【００３５】
次に、携帯電話機１の動作について説明する。図３は、携帯電話機１の動作について説明するフローチャートである。
ステップＳ１において、通信部３１は、所定の操作が行われることに基づいて通話（通信）を開始する。
ステップＳ２において、制御部３３は、通話モードを通常通話モードに設定する。
【００３６】
ステップＳ３において、制御部３３は、携帯電話機１の前面１０における音声の大きさと、背面２０における音声の大きさとの差Ｓを求める。すなわち、制御部３３は、第１マイク１２から入力された第１電圧信号の大きさ（電圧値）と、第２マイク２１から出力された第２電圧信号の大きさ（電圧値）との差Ｓを求める。
【００３７】
ステップＳ４において、制御部３３は、ステップＳ３の処理により求められた差Ｓが所定値（第１のしきい値）以上であるか否かを判断する。差Ｓが所定値以上の場合（Ｙｅｓ）には、処理は、ステップＳ５に進む。差Ｓが所定値以上ではない場合（Ｎｏ）には、処理は、ステップＳ６に進む。
【００３８】
ステップＳ５において、制御部３３は、通話モードを通常通話モードに設定する。
ステップＳ６において、制御部３３は、通話モードをハンズフリー通話モードに設定する。
【００３９】
ステップＳ７において、制御部３３は、通話を終了する操作が行われたか否かを判断する。通話を終了する操作が行われていない場合（Ｎｏ）には、処理は、ステップＳ３に戻る。通話を終了する操作が行われた場合（Ｙｅｓ）には、制御部３３は、通信部３１を制御して通話（通信）を終了させる。
【００４０】
これにより、携帯電話機１は、入力された音声の差が第１のしきい値以上であるか否かに応じて、通話モードを容易に切り替えることができる。すなわち、携帯電話機１は、ユーザによって通話モードを設定する手間を省くことができる。
【００４１】
また、制御部３３は、第１マイク１２と第２マイク２１に入力された音声の大きさを判定し、その判定の結果から、入力された各音声の大きさの差が第１のしきい値未満であり、かつ第１マイク１２に入力された音声の大きさが第２のしきい値未満の場合には、ハンズフリー通話モードを設定することが好ましい。
【００４２】
入力された音声の差が第１のしきい値未満であり、かつ、第１マイク１２に入力された音声の大きさが第２のしきい値未満の場合には、携帯電話機１とユーザとの距離が離れている可能性がある。このため、制御部３３は、第１マイク１２から出力された第１電圧信号の大きさ（電圧値）が第２のしきい値以上であるか否かを判定して（第２判定）、その第２判定の結果、第１電圧信号の大きさが第２のしきい値以上ではなく、さらに、第１判定の結果、求めた差が第１のしきい値以上ではない場合に、ハンズフリー通話モードに設定する。
これにより、携帯電話機１は、第１判定及び第２判定それぞれの判定結果に基づいて、通話モードを容易に切り替えることができる。
【００４３】
また、制御部３３は、第１マイク１２と第２マイク２１に入力された音声の大きさを判定し、その判定の結果から、入力された各音声の大きさの差が第１のしきい値以上であり、かつ第１マイク１２に入力された音声の大きさが第２のしきい値以上の場合には、通常通話モードを設定することが好ましい。
【００４４】
ユーザが携帯電話機１を顔に当てて大きな声で通話を行っている場合には、第１マイク１２及び第２マイク２１それぞれには、大きな音声が入力される可能性がある。この場合には、制御部３３は、第１判定の結果として、求めた差が第１のしきい値以上ではないという結果を得る可能性がある。このため、制御部３３は、第１判定及び第２判定を行い、その判定の結果、求めた差が第１のしきい値以上ではなく、さらに第１電圧信号の大きさが第２のしきい値以上の場合に、通常通話モードに設定する。
これにより、携帯電話機１は、第１判定及び第２判定それぞれの判定結果に基づいて、通話モードを容易に切り替えることができる。
【００４５】
図４は、携帯電話機１の機能を示す第２の機能ブロック図である。携帯電話機１は、少なくとも前面１０とは異なる面（背面２０、側面、上面及び底面のうちいずれかの面）に配置される第３の音声入力部としての第３マイク４１（本発明の「第３の音声入力部」に対応する。図４参照）を備える好ましい。第３マイク４１は、音声が入力されると、その音声を電圧に変換して第３電圧信号として出力する。また、第３マイク４１は、入力された音声の大きさに応じて異なる電圧の電圧信号を出力する。
【００４６】
この場合、制御部３３は、第２マイク２１及び第３マイク４１に入力される音声のうち、入力された音声の大きさを判定し、その判定の結果から、入力された音声が大きい側のマイクに入力された音声と、第１マイク１２に入力された音声の大きさを判定し、その判定の結果に応じて通話モードを設定する。
【００４７】
すなわち、制御部３３は、第２電圧信号の大きさ（電圧値）と、第３電圧信号の大きさ（電圧値）とを比較し、いずれの電圧信号が大きいのか判定する（第３判定）。第３判定の結果、第２電圧信号よりも第３電圧信号の方が大きい場合には、例えば、制御部３３は、第３電圧信号の大きさと、第１マイク１２から出力された第１電圧信号の大きさとの差を求め、求めた差が第３のしきい値以上であるか否かを判定する（第４判定）。なお、第３のしきい値は、第１のしきい値と同じ値であってもよいし、異なる値であってもよい。第４判定の結果、求めた差が第３のしきい値以上ではない場合には、制御部３３は、ハンズフリー通話モードに設定する。第４判定の結果、求めた差が第３のしきい値以上の場合には、制御部３３は、通常通話モードに設定する。
【００４８】
一方、第３判定の結果、第３電圧信号よりも第２電圧信号の方が大きい場合には、例えば、制御部３３は、第２電圧信号の大きさと第１電圧信号の大きさとの差を求め、求めた差が第３のしきい値以上であるか否かを判定する（第５判定）。第５判定の結果、求めた差が第３のしきい値以上ではない場合には、制御部３３は、ハンズフリー通話モードに設定する。第５判定の結果、求めた差が第３のしきい値以上の場合には、制御部３３は、通常通話モードに設定する。
これにより、携帯電話機１は、制御部３３の判定結果に基づいて、通話モードを容易に切り替えることができる。
【００４９】
図５は、携帯電話機１の機能を示す第３の機能ブロック図である。携帯電話機１は、少なくとも背面２０とは異なる面（前面１０、側面、上面及び底面のうちいずれかの面）に配置される第４の音声入力部としての第４マイク４２（本発明の「第４の音声入力部」に対応する。図５参照）を備えることが好ましい。第４マイク４２は、音声が入力されると、その音声を電圧に変換して第４電圧信号として出力する。また、第４マイク４２は、入力された音声の大きさに応じて異なる電圧の電圧信号を出力する。
【００５０】
この場合、制御部３３は、第１マイク１２及び第４マイク４２に入力される音声のうち、入力された音声の大きさを判定し、その判定の結果から、入力された音声が大きい側のマイクに入力された音声と、第２マイク２１に入力された音声の大きさを判定し、その判定の結果に応じて通話モードを設定する。
【００５１】
すなわち、制御部３３は、第１マイク１２から出力された第１電圧信号の大きさ（電圧値）と、第４電圧信号の大きさ（電圧値）とを比較し、いずれの電圧信号が大きいのか判定する（第６判定）。第６判定の結果、第１電圧信号よりも第４電圧信号の方が大きい場合には、例えば、制御部３３は、第４電圧信号の大きさと、第２マイク２１から出力された第２電圧信号の大きさとの差を求め、求めた差が第４のしきい値以上であるか否かを判定する（第７判定）。なお、第４のしきい値は、第１のしきい値と同じ値であってもよいし、異なる値であってもよい。第７判定の結果、求めた差が第４のしきい値以上ではない場合には、制御部３３は、ハンズフリー通話モードに設定する。第７判定の結果、求めた差が第４のしきい値以上の場合には、制御部３３は、通常通話モードに設定する。
【００５２】
一方、第６判定の結果、第４電圧信号よりも第１電圧信号の方が大きい場合には、例えば、制御部３３は、第１電圧信号の大きさと第２電圧信号の大きさとの差を求め、求めた差が第４のしきい値以上であるか否かを判定する（第８判定）。第８判定の結果、求めた差が第４のしきい値以上ではない場合には、制御部３３は、ハンズフリー通話モードに設定する。第８判定の結果、求めた差が第４のしきい値以上の場合には、制御部３３は、通常通話モードに設定する。
これにより、携帯電話機１は、制御部３３の判定結果に基づいて、通話モードを容易に切り替えることができる。
【００５３】
なお、上述した実施形態では、携帯電話機１がストレートタイプの場合について説明した。しかしながら、本発明は、この形態に限定されることはない。例えば、携帯電話機は、２つの筐体をヒンジによって結合した折り畳み式や、２つの筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。
【００５４】
折り畳み式の携帯電話機では、一方の筐体と他方の筐体とが閉状態になっている場合には通話ができない状態であり、第１マイク、第２マイク、第３マイク及び第４マイクによって音声を取得せず、一方の筐体と他方の筐体とが開状態になっている場合にのみ、第１マイク、第２マイク、第３マイク及び第４マイクによって音声を取得するようになっていてもよい。ここで、一方の筐体と他方の筐体とが開状態になっているか否かは、携帯電話機に配置された開閉検知センサの測定結果に基づいて、制御部が判断する。これにより、通話以外の音声（着信音等）を取得してしまうことを防ぐことができる。
【００５５】
また、着信があった場合に、通話開始の操作がされた場合にのみ、第１マイク、第２マイク、第３マイク及び第４マイクによって音声を取得するようになっていてもよい。これにより、通話以外の音声（着信音等）を取得してしまうことを防ぐことができる。ここで、通話開始の操作とは通話キーの押下であってもよいし、通話開始の旨の音声入力であってもよい。
【００５６】
また、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）や無線機等の通話を行うことが可能な携帯端末にも適用することができる。
【符号の説明】
【００５７】
１  携帯電話機（携帯端末）
２  筐体
１２  第１マイク（第１の音声入力部）
２１  第２マイク（第２の音声入力部）
３１  通信部
３３  制御部
４１  第３マイク（第３の音声入力部）
４２  第４マイク（第４の音声入力部）
【図１】
2012238978.tif 000003
【図２】
2012238978.tif 000004
【図３】
2012238978.tif 000005
【図４】
2012238978.tif 000006
【図５】
2012238978.tif 000007